(57)【要約】      （修正有）【課題】実空間のセンシング結果に基づいたコンテンツの視聴を適切に制限することが可能な、情報処理装置、情報処理方法、およびプログラムを提供する。【解決手段】実空間のセンシング結果に基いて生成される自由視点のコンテンツのうち、所定の条件に基いて、実空間の一部空間のうち、外部のユーザに閲覧されることを望まない物体や空間に対応する部分を、例えば黒色などの所定の色で塗りつぶすなどにより、視聴を制限する視聴制限部、を備える。【効果】外部のユーザによる自由視点のコンテンツの視聴を一部可能としつつ、権限者のプライバシーを適切に保護できる。【選択図】図９
2018085571.tif 000002
【特許請求の範囲】
【請求項１】
実空間のセンシング結果に基いて生成される自由視点のコンテンツのうち、前記実空間の一部の空間に対応する一部のコンテンツの視聴を所定の条件に基いて制限する視聴制限部、
を備える、情報処理装置。
【請求項２】
前記視聴制限部は、前記一部のコンテンツにおける視点の移動を制限する、請求項１に記載の情報処理装置。
【請求項３】
前記視聴制限部は、前記一部のコンテンツの視認性を低下させるように前記一部のコンテンツの表示を制御する、請求項１に記載の情報処理装置。
【請求項４】
前記視聴制限部は、前記一部のコンテンツの表示色を所定の色に変更する処理、前記一部のコンテンツの透過度を上げる処理、または、前記一部のコンテンツをぼかす処理を行う、請求項３に記載の情報処理装置。
【請求項５】
前記実空間の一部の空間は、前記実空間のうち前記所定の条件を満たす空間である、請求項１に記載の情報処理装置。
【請求項６】
前記所定の条件を満たす空間は、制限対象の物体を含む空間、および／または、制限対象の空間である、請求項５に記載の情報処理装置。
【請求項７】
前記視聴制限部は、前記一部のコンテンツの内部への視点の移動を許可しない、請求項６に記載の情報処理装置。
【請求項８】
前記制限対象の物体および／または前記制限対象の空間は、前記実空間のレイアウトを示す操作画面に対するユーザの入力に基づいて設定される、請求項６に記載の情報処理装置。
【請求項９】
前記制限対象の物体および／または前記制限対象の空間は、前記実空間におけるユーザのポインティング動作の検出に基づいて設定される、請求項６に記載の情報処理装置。
【請求項１０】
前記制限対象の空間は、前記実空間においてユーザが移動した領域の検出結果に基づいて設定される、請求項６に記載の情報処理装置。
【請求項１１】
前記制限対象の空間は、前記実空間内に配置された複数の所定の物体の位置の検出結果に基づいて設定される、請求項６に記載の情報処理装置。
【請求項１２】
前記所定の条件を満たす空間は、所定の属性に合致する物体を含む空間、および／または、所定の属性に合致する空間である、請求項５に記載の情報処理装置。
【請求項１３】
前記所定の属性に合致する空間は、ユーザの平均滞在時間が所定の閾値よりも小さい空間、および／または、ユーザの訪問頻度が所定の閾値よりも小さい空間を含む、請求項１２に記載の情報処理装置。
【請求項１４】
前記所定の条件が成立する場合には、前記視聴制限部は、前記一部のコンテンツの視聴を制限する、請求項１に記載の情報処理装置。
【請求項１５】
前記所定の条件は、前記実空間に関連する第１のユーザと、前記コンテンツを視聴する第２のユーザとの関係性に関する条件を含む、請求項１４に記載の情報処理装置。
【請求項１６】
前記所定の条件は、前記コンテンツを視聴するユーザの課金状態または有料会員の登録状況に関する条件を含む、請求項１４に記載の情報処理装置。
【請求項１７】
前記コンテンツは、前記実空間の外部に位置するユーザにより視聴され、
前記情報処理装置は、前記実空間の一部の空間内の物体および／または前記実空間の一部の空間を示す情報を、前記実空間内に位置する表示部に表示させる表示制御部をさらに備える、請求項１に記載の情報処理装置。
【請求項１８】
前記情報処理装置は、前記センシング結果を取得する取得部と、
前記センシング結果に基いて、前記自由視点のコンテンツを生成するコンテンツ生成部と、をさらに備える、請求項１に記載の情報処理装置。
【請求項１９】
実空間のセンシング結果に基いて生成される自由視点のコンテンツのうち、前記実空間の一部の空間に対応する一部のコンテンツの視聴を所定の条件に基いてプロセッサが制限すること、
を含む、情報処理方法。
【請求項２０】
コンピュータを、
実空間のセンシング結果に基いて生成される自由視点のコンテンツのうち、前記実空間の一部の空間に対応する一部のコンテンツの視聴を所定の条件に基いて制限する視聴制限部、
として機能させるための、プログラム。
【発明の詳細な説明】
【技術分野】
【０００１】
本開示は、情報処理装置、情報処理方法、およびプログラムに関する。
【背景技術】
【０００２】
従来、例えば臨場感の高いコンテンツを生成することを目的として、実空間をセンシングした結果に基いてコンテンツを生成する技術が各種提案されている。
【０００３】
例えば、下記特許文献１には、視野が互いに一部重なり合うように配置された複数のカメラにより撮影された画像に基いて全方位画像を生成する技術が記載されている。
【先行技術文献】
【特許文献】
【０００４】
【特許文献１】特開２００５−４４８７号公報
【発明の概要】
【発明が解決しようとする課題】
【０００５】
ところで、実空間によっては、当該実空間の全体が例えば外部のユーザに閲覧されることが望ましくない場合もある。
【０００６】
しかしながら、特許文献１に記載の技術では、生成された全方位画像内の全ての領域をユーザが詳細に閲覧可能となってしまう。
【０００７】
そこで、本開示では、実空間のセンシング結果に基づいたコンテンツの視聴を適切に制限することが可能な、新規かつ改良された情報処理装置、情報処理方法、およびプログラムを提案する。
【課題を解決するための手段】
【０００８】
本開示によれば、実空間のセンシング結果に基いて生成される自由視点のコンテンツのうち、前記実空間の一部の空間に対応する一部のコンテンツの視聴を所定の条件に基いて制限する視聴制限部、を備える、情報処理装置が提供される。
【０００９】
また、本開示によれば、実空間のセンシング結果に基いて生成される自由視点のコンテンツのうち、前記実空間の一部の空間に対応する一部のコンテンツの視聴を所定の条件に基いてプロセッサが制限すること、を含む、情報処理方法が提供される。
【００１０】
また、本開示によれば、コンピュータを、実空間のセンシング結果に基いて生成される自由視点のコンテンツのうち、前記実空間の一部の空間に対応する一部のコンテンツの視聴を所定の条件に基いて制限する視聴制限部、として機能させるための、プログラムが提供される。
【発明の効果】
【００１１】
以上説明したように本開示によれば、実空間のセンシング結果に基づいたコンテンツの視聴を適切に制限することができる。なお、ここに記載された効果は必ずしも限定されるものではなく、本開示中に記載されたいずれかの効果であってもよい。
【図面の簡単な説明】
【００１２】
【図１】第１の実施形態による情報処理システムの構成例を示した説明図である。
【図２】第１の実施形態によるサーバ１０の構成例を示した機能ブロック図である。
【図３】第１の実施形態による操作画面の一例を示した説明図である。
【図４】部屋２の中でのユーザの移動と発話とに基づいて制限対象の空間が設定される例を示した説明図である。
【図５】ベッド３０ａが制限対象の物体に設定された際における自由視点のコンテンツの表示例を示した説明図である。
【図６】ベッド３０ａが制限対象の物体に設定されている際における、第２の表示部２４による表示例を示した説明図である。
【図７】コンテンツを視聴しているユーザの映像３２の、第２の表示部２４による表示例を示した説明図である。
【図８】第１の実施形態による「制限対象の物体・制限対象の空間の設定時の処理の流れ」を示したフローチャートである。
【図９】第１の実施形態による「コンテンツの表示時の処理の流れ」を示したフローチャートである。
【図１０】第２の実施形態による情報処理システムの構成例を示した説明図である。
【図１１】第２の実施形態による仮想的な共有空間６０の生成例を示した説明図である。
【図１２】共有空間６０に基づいて生成されたコンテンツが各部屋２内の第１の表示部２２に提供される例を示した図である。
【図１３】各実施形態に共通するサーバ１０のハードウェア構成例を示した説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてサーバ１０ａおよびサーバ１０ｂのように区別する。ただし、実質的に同一の機能構成を有する複数の構成要素の各々を特に区別する必要がない場合、同一符号のみを付する。例えば、サーバ１０ａおよびサーバ１０ｂを特に区別する必要が無い場合には、単にサーバ１０と称する。
【００１５】
また、以下に示す項目順序に従って当該「発明を実施するための形態」を説明する。
１．第１の実施形態
２．第２の実施形態
３．ハードウェア構成
４．変形例
【００１６】
＜＜１．第１の実施形態＞＞
＜１−１．情報処理システムの構成＞
まず、第１の実施形態について説明する。図１は、第１の実施形態による情報処理システムの構成例を示した説明図である。図１に示すように、第１の実施形態による情報処理システムは、サーバ１０、複数のセンサ部２０、第１の表示部２２、第２の表示部２４、および、通信網２６を含む。
【００１７】
図１に示すように、第１の実施形態では、所定の実空間の中にセンサ部２０が複数配置されており、かつ、当該複数のセンサ部２０により所定の実空間の略全体の三次元情報が取得される場面を想定する。ここで、所定の実空間は、例えば家、店舗、オフィスビルや、レジャー施設などの所定の建物内の部屋２や廊下などであり得る。なお、以下では、所定の実空間が所定の建物内の部屋２である例を中心として説明を行う。
【００１８】
また、図１に示すように、部屋２の中には、例えばベッド３０ａ、ソファ３０ｂ、または、テーブル３０ｃなどの複数の物体３０が配置されていることを想定する。また、図１に示すように、部屋２の中には、例えば部屋２の居住者などの部屋２の管理権限を有するユーザ６（以下、権限者６と称する場合がある）が位置し得る。
【００１９】
{１−１−１．センサ部２０}
センサ部２０は、センサ部２０の前方に位置する物体までの距離を測定する。例えば、センサ部２０は、デプスセンサ、ステレオカメラ、または、レンジファインダを含み得る。
【００２０】
また、センサ部２０は、例えばイメージセンサ（ＲＧＢカメラ）をさらに含み、そして、センサ部２０の前方の画像を撮影することが可能である。なお、部屋２の中に配置されている複数のセンサ部２０により取得されるセンシングデータは、キャリブレーションやフレーム同期処理などにより精度良く合成され得る。
【００２１】
{１−１−２．サーバ１０}
サーバ１０は、本開示における情報処理装置の一例である。サーバ１０は、複数のセンサ部２０によるセンシングデータを、後述する通信網２６を介して取得し、そして、取得したセンシングデータに基づいて、部屋２に関する自由視点のコンテンツを生成する。
【００２２】
また、サーバ１０は、生成した自由視点のコンテンツを通信網２６を介して、例えば部屋２の外部（遠隔地など）に位置する、後述する第１の表示部２２へ伝送し、そして、第１の表示部２２に表示させることが可能である。
【００２３】
（自由視点のコンテンツ）
ここで、自由視点のコンテンツは、（複数の地点に配置された）複数の視点（センサ部２０）から実空間がセンシングされたデータに基いて得られる、自由な視点位置からの映像（例えば当該実空間の映像など）を提示するためのデータであり得る。例えば、複数の視点から実空間が例えば同時にセンシングされたデータが統合されることにより三次元の仮想空間が構築され得る。この場合、自由視点のコンテンツは、当該三次元の仮想空間における、自由な視点からの映像を提示するデータであり得る。例えば、自由視点のコンテンツは、当該三次元の仮想空間において、視点を仮想的に自由に動かした際の当該視点からの当該仮想空間の映像を提示するデータであり得る。
【００２４】
例えば、ユーザが装着しているＨＭＤ（Ｈｅａｄ  Ｍｏｕｎｔｅｄ  Ｄｉｓｐｌａｙ）に自由視点のコンテンツが表示されており、かつ、視点を移動させるための操作（例えば、所定の入力デバイスに対する操作や音声コマンドなど）をユーザが行った場合には、当該操作に基づく移動後の視点からの映像が当該ＨＭＤに表示され得る。このように、ユーザは、視点を自由に移動させて当該コンテンツを視聴することが可能であり得る。
【００２５】
また、自由視点のコンテンツは、センシング対象の実空間内の各物体を示す三次元情報および色情報を含み得る。例えば、自由視点のコンテンツは、上記の三次元の仮想空間における、当該各物体に対応する仮想オブジェクトが有する各点の位置を示す三次元情報および各点の色情報を含む。また、自由視点のコンテンツは、複数のセンサ部２０により集音された音声などの音情報をさらに含んでもよい。
【００２６】
{１−１−３．第１の表示部２２}
第１の表示部２２は、例えばサーバ１０から伝送される自由視点のコンテンツなどの映像を表示する。第１の表示部２２は、図１に示すように、例えば非透過型のＨＭＤであり得る。この場合、部屋２の外部に位置するユーザ４は、第１の表示部２２を装着することにより、サーバ１０から伝送される自由視点のコンテンツを第１の表示部２２を介して視聴することができる。これにより、ユーザ４は、あたかも部屋２の内部に実際に位置するような体験をすることができる。
【００２７】
なお、第１の表示部２２は、非透過型のＨＭＤである例に限定されない。例えば、第１の表示部２２は、例えば透過型のＨＭＤやＡＲ（Ａｕｇｕｍｅｎｔｅｄ  Ｒｅａｌｉｔｙ）グラスなどの透過型の眼鏡型デバイス、テレビジョン受信機、または、３Ｄテレビジョン受信機などであってもよい。または、第１の表示部２２は、３Ｄプロジェクタであり、そして、当該３Ｄプロジェクタにより例えば壁やスクリーンなどに対して映像が投影されてもよい。なお、以下では、第１の表示部２２が非透過型のＨＭＤである例を中心として説明を行う。
【００２８】
{１−１−４．第２の表示部２４}
第２の表示部２４は、部屋２の中に位置する表示装置であり得る。例えば、第２の表示部２４は、プロジェクタ、または、３Ｄプロジェクタであり得る。この場合、第２の表示部２４は、図１に示すように、部屋２の中（例えば壁やスクリーン）において映像を投影し得る。または、第２の表示部２４は、例えばＨＭＤやＡＲグラスなどの眼鏡型デバイスであり、かつ、権限者６に装着され得る。
【００２９】
{１−１−５．通信網２６}
通信網２６は、通信網２６に接続されている装置から送信される情報の有線、または無線の伝送路である。例えば、通信網２６は、電話回線網、インターネット、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網２６は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３０】
{１−１−６．課題の整理}
以上、第１の実施形態による情報処理システムの構成について説明した。ところで、権限者６が、部屋２の中の特定の物体や特定の空間を（部屋２の外部の）ユーザ４に見られることを望まない場面も想定される。しかしながら、自由視点のコンテンツでは、特に制限が施されない場合には視点の位置や方向が自由に変更可能であるので、当該コンテンツを閲覧するユーザは、部屋２の内部を自由に、かつ、詳細に閲覧することが可能になってしまう。このため、権限者６のプライバシーが保護されないという問題がある。
【００３１】
そこで、上記事情を一着眼点にして、第１の実施形態によるサーバ１０を創作するに至った。第１の実施形態によれば、サーバ１０は、部屋２のセンシング結果に基いて生成される自由視点のコンテンツのうち、部屋２の一部の空間に対応する一部のコンテンツの視聴を所定の条件に基いて制限することが可能である。これにより、ユーザ４による当該コンテンツの視聴を可能としながら、権限者６のプライバシーを適切に保護することが可能である。
【００３２】
＜１−２．構成＞
次に、第１の実施形態によるサーバ１０の構成について詳細に説明する。図２は、第１の実施形態によるサーバ１０の構成例を示した機能ブロック図である。図２に示すように、サーバ１０は、制御部１００、通信部１２０、および、記憶部１２２を有する。
【００３３】
｛１−２−１．制御部１００｝
制御部１００は、サーバ１０に内蔵される、後述するＣＰＵ（Ｃｅｎｔｒａｌ  Ｐｒｏｃｅｓｓｉｎｇ  Ｕｎｉｔ）１５０や、ＲＡＭ（Ｒａｎｄｏｍ  Ａｃｃｅｓｓ  Ｍｅｍｏｒｙ）１５４などのハードウェアを用いて、サーバ１０の動作を統括的に制御する。また、図２に示すように、制御部１００は、検出結果取得部１０２、コンテンツ生成部１０４、制限対象設定部１０６、視聴制限部１０８、表示制御部１１０、および、監視状態判定部１１２を有する。
【００３４】
｛１−２−２．検出結果取得部１０２｝
検出結果取得部１０２は、複数のセンサ部２０によりセンシングされたセンシング結果を取得する。例えば、検出結果取得部１０２は、個々のセンサ部２０（デプスセンサなど）により検出された、当該センサ部２０の前方に位置する物体までの距離情報や、個々のセンサ部２０（イメージセンサなど）により撮影された撮影画像を、センサデータとして受信または読出し処理などを行うことにより取得する。
【００３５】
｛１−２−３．コンテンツ生成部１０４｝
コンテンツ生成部１０４は、検出結果取得部１０２により取得された、複数のセンサ部２０により取得されたセンシングデータに基づいて、自由視点のコンテンツを生成する。例えば、コンテンツ生成部１０４は、まず、検出結果取得部１０２により取得された、個々のセンサ部２０の前方に位置する各物体までの距離情報に基づいて、部屋２の略全体の三次元空間情報としてポイントクラウドを生成する。そして、コンテンツ生成部１０４は、生成したポイントクラウドに基づいて、部屋２に関する自由視点のコンテンツを生成する。
【００３６】
例えば、複数のセンサ部２０により撮影された一以上の二次元画像の画像認識の結果に基いて、部屋２内の各物体が特定され得る。そして、コンテンツ生成部１０４は、当該一以上の二次元画像と、生成されたポイントクラウドデータとに基いて、当該各物体の三次元情報を特定することにより、当該自由視点のコンテンツを生成し得る。
【００３７】
｛１−２−４．制限対象設定部１０６｝
制限対象設定部１０６は、部屋２の中に位置する複数の物体の中から制限対象の物体を設定したり、また、部屋２の内部において制限対象の空間を設定する。詳細については後述するが、コンテンツ生成部１０４により生成された自由視点のコンテンツに関して、設定された制限対象の物体および制限対象の空間に対応する部分は、視聴制限部１０８によりユーザ４の視聴が制限され得る。なお、制限対象の空間内に位置する各物体に対応する、当該コンテンツの部分に関してもユーザ４の視聴が制限され得る。
【００３８】
（１−２−４−１．仮想物に対するポインティング）
例えば、制限対象設定部１０６は、仮想物に対する権限者６の指示に基づいて、制限対象の物体、および／または、制限対象の空間を設定する。一例として、制限対象設定部１０６は、部屋２のレイアウトを示す所定の操作画面に対するユーザの入力に基づいて、制限対象の物体または制限対象の空間を設定する。ここで、当該操作画面は、部屋２の中に位置する複数の物体の各々をユーザが選択可能に表示し得る。例えば、当該操作画面においてユーザにより物体が選択され、かつ、該当の物体が制限対象であるか否かが入力された場合には、制限対象設定部１０６は、該当の物体を制限対象の物体、もしくは、制限対象外の物体に設定する。また、当該操作画面は、部屋２の内部の範囲をユーザが指定可能に表示し得る。例えば、当該操作画面においてユーザにより範囲が指定され、かつ、該当の範囲が制限対象であるか否かが入力された場合には、制限対象設定部１０６は、該当の範囲に対応する空間を制限対象の空間、もしくは、制限対象外の空間に設定する。なお、権限者６が使用する所定の端末（例えば、汎用ＰＣ（Ｐｅｒｓｏｎａｌ  Ｃｏｍｐｕｔｅｒ）やタブレット端末など）が有するディスプレイまたは当該所定の端末に接続された表示装置（例えば、液晶ディスプレイ（ＬＣＤ：Ｌｉｇｈｔ  Ｅｍｉｔｔｉｎｇ  Ｄｉｏｄｅ）やＯＬＥＤ（Ｏｒｇａｎｉｃ  Ｌｉｇｈｔ  Ｅｍｉｔｔｉｎｇ  Ｄｉｏｄｅ）など）により、当該操作画面は表示され得る。または、当該操作画面は、第２の表示部２４により表示されてもよい。
【００３９】
図３は、操作画面の一例（操作画面４０）を示した説明図である。図３に示したように、操作画面４０には、部屋２のレイアウト４００が表示される。なお、図３では、レイアウト４００が、部屋２の中に位置する各物体の三次元情報から構成された３Ｄ映像（ポイントクラウドなど）である例を示しているが、かかる例に限定されない。例えばレイアウト４００は、部屋２内の個々の物体の位置関係を示す、部屋２の間取り図や、２Ｄの撮影画像であってもよい。
【００４０】
また、図３に示したように、操作画面４０は、制限範囲の設定ボタン４１０ａ、非制限範囲の設定ボタン４１０ｂ、制限物の設定ボタン４１０ｃ、および、非制限物の設定ボタン４１０ｄを含む。ここで、制限範囲の設定ボタン４１０ａは、部屋２における制限対象の空間を設定するためのボタンである。また、非制限範囲の設定ボタン４１０ｂは、部屋２における制限対象外の空間を設定するためのボタンである。また、制限物の設定ボタン４１０ｃは、例えば部屋２に配置されている複数の物体の中から、制限対象の物体を設定するためのボタンである。また、非制限物の設定ボタン４１０ｄは、例えば部屋２に配置されている複数の物体の中から、制限対象外の物体を設定するためのボタンである。なお、図３では、制限範囲の設定ボタン４１０ａが選択された状態を示している。この状態で、かつ、図３に示したように、部屋２のレイアウト４００において例えばドラッグ操作などにより範囲が指定されると、制限対象設定部１０６は、指定された範囲４０２に対応する空間（図３に示した例ではベッドエリア）を制限対象の空間として新たに設定する。
【００４１】
また、制限物の設定ボタン４１０ｃが選択された状態で、部屋２のレイアウト４００に表示されているいずれかの物体がユーザにより選択されると、制限対象設定部１０６は、選択された物体を制限対象の物体として新たに設定する。なお、制限対象の物体および制限対象の空間が新たに設定された際には、当該操作画面（レイアウト４００など）において該当の物体または該当の空間が例えばグレーアウトされるなど、表示態様が変更されてもよい。これにより、設定済みの制限対象の物体および制限対象の空間を明示することができる。
【００４２】
‐変形例
なお、変形例として、当該操作画面において制限物リストが配置され、かつ、当該制限物リストに対する操作により、制限対象の物体が新たに設定されてもよい。例えば、レイアウト４００に表示されている複数の物体のうちいずれかがドラッグ＆ドロップにより当該制限物リストへ移動されると、制限対象設定部１０６は、該当の物体を制限対象の物体として新たに設定してもよい。
【００４３】
また、別の変形例として、制限対象設定部１０６は、ユーザによる当該操作画面における所定のＵＩ（例えばひも型のＵＩなど）を用いた操作と音声認識とに基づいて、制限対象の物体または制限対象の空間を設定することも可能である。例えば、当該操作画面において、ひものＵＩの操作により範囲が指定され、かつ、所定の音声コマンド（例えば「ＮＧ！」や「ＯＫ！」など）が認識された場合には、制限対象設定部１０６は、指定された範囲に対応する空間を制限対象の空間（あるいは、制限対象外の空間）として新たに設定してもよい。または、この場合、制限対象設定部１０６は、指定された範囲に対応する空間内に位置する物体を制限対象の物体（あるいは、制限対象外の物体）として新たに設定してもよい。
【００４４】
また、別の変形例として、権限者６は、（コンテンツを視聴する）ユーザ４ごとに、制限対象の物体および制限対象の空間をそれぞれ指定可能であってもよい。
【００４５】
（１−２−４−２．実物体に対するポインティング）
‐ジェスチャによる設定
また、制限対象設定部１０６は、実物体に対するユーザの指示に基づいて、制限対象の物体、および／または、制限対象の空間を設定することが可能である。例えば、制限対象設定部１０６は、実物体に対するユーザのジェスチャ（例えば視線、指差し、またはタッチなど）の検出に基づいて、制限対象の物体、および／または、制限対象の空間を設定する。一例として、部屋２において、ある物体をユーザが触っていたり、または指差ししていることが検出され、かつ、ジェスチャに基づく物体指定のための音声コマンド（例えば「これは表示不可！」や「これは表示可！」など）が認識された場合には、制限対象設定部１０６は、該当の物体を制限対象の物体（あるいは、制限対象外の物体）として新たに設定してもよい。また、部屋２において、手（または指）で円を描くようなジェスチャが検出され、かつ、ジェスチャに基づく範囲指定のための音声コマンド（例えば「この範囲は表示不可！」や「この範囲は表示可！」など）が認識された場合には、制限対象設定部１０６は、当該ジェスチャで指定された範囲に対応する、部屋２の中の空間を制限対象の空間（あるいは、制限対象外の空間）として新たに設定してもよい。
【００４６】
また、ユーザの視線方向が検出されている間において、視線に基づく物体指定のための音声コマンド（例えば「これは表示不可！」や「これは表示可！」など）が認識された場合には、制限対象設定部１０６は、部屋２において、当該認識時に検出された視線方向に位置する物体を制限対象の物体（あるいは、制限対象外の物体）として新たに設定してもよい。
【００４７】
‐移動による設定
また、制限対象設定部１０６は、部屋２の中でのユーザの移動の検出と音声認識とに基づいて、制限対象の物体、および／または、制限対象の空間を設定することが可能である。例えば、移動に基づく範囲指定のための音声コマンド（例えば「これから歩く範囲は表示不可！」や「これから歩く範囲は表示可！」など）が認識された場合には、制限対象設定部１０６は、当該認識後に、部屋２においてユーザが移動したと認識される領域に対応する空間を制限対象の空間（あるいは、制限対象外の空間）として新たに設定してもよい。また、この場合、制限対象設定部１０６は、当該認識後に、部屋２においてユーザが移動したと認識される領域に対応する空間内に位置する一以上の物体をそれぞれ制限対象の物体（あるいは、制限対象外の物体）として新たに設定してもよい。
【００４８】
ここで、図４を参照して、上記の設定例についてさらに詳細に説明する。図４のＡに示したように、まず、移動に基づく範囲指定を開始するための音声コマンド（例えば「これから歩く範囲は表示不可！」など）をユーザ４が発話し、そして、部屋２の中を移動したとする。その後、図４のＢに示したように、移動に基づく範囲指定を終了するための音声コマンド（例えば「設定終了！」など）をユーザ４が発話したとする。この場合、図４のＣに示したように、制限対象設定部１０６は、部屋２の中でユーザが移動したと認識される範囲に対応する空間４２を制限対象の空間として設定する。さらに、制限対象設定部１０６は、空間４２内に位置するテーブル３０ｃを制限対象の物体として設定してもよい。
【００４９】
‐物体の配置による設定
また、制限対象設定部１０６は、部屋２の中に配置される複数の所定の物体の位置の認識結果に基づいて、制限対象の物体、および／または、制限対象の空間を設定することが可能である。例えば、制限対象設定部１０６は、部屋２の中に配置された三個以上の所定の物体で囲まれた範囲に対応する空間を制限対象の空間（あるいは、制限対象外の空間）として新たに設定してもよい。また、この場合、制限対象設定部１０６は、当該三個以上の所定の物体で囲まれた範囲に対応する空間内に位置する一以上の物体をそれぞれ制限対象の物体（あるいは、制限対象外の物体）として新たに設定してもよい。
【００５０】
（１−２−４−３．自動設定）
また、制限対象設定部１０６は、検出結果取得部１０２により取得された検出結果に基いて、制限対象の物体、および／または、制限対象の空間を自動的に設定することも可能である。例えば、所定の属性に合致する物体が部屋２の中に存在することが検出された場合には、制限対象設定部１０６は、当該物体を制限対象の物体として設定する。一例として、制限対象設定部１０６は、手紙や衣服など、プライベートの程度が相対的に高い物体を制限対象の物体として設定してもよい。また、制限対象設定部１０６は、例えば、検出結果取得部１０２により取得された撮影画像の解析結果などに基いて、（部屋２の中に位置する）汚れていると認識された物体を制限対象の物体として設定してもよい。
【００５１】
また、所定の属性に合致する空間が部屋２の中に存在することが検出された場合には、制限対象設定部１０６は、当該空間を制限対象の空間として設定することが可能である。一例として、制限対象設定部１０６は、例えば台所、寝室、トイレなど、プライベートの程度が相対的に高い空間を制限対象の空間として設定してもよい。また、制限対象設定部１０６は、ユーザの平均滞在時間が所定の閾値よりも小さい空間（例えばトイレなど）を制限対象の空間として設定してもよい。また、制限対象設定部１０６は、ユーザの訪問頻度が所定の閾値よりも小さい空間（例えば寝室など）を制限対象の空間として設定してもよい。
【００５２】
｛１−２−５．視聴制限部１０８｝
視聴制限部１０８は、コンテンツ生成部１０４により生成されたコンテンツのうち、部屋２の一部の空間に対応する一部のコンテンツの視聴を所定の条件に基いて制限する。例えば、所定の条件が成立する場合には、視聴制限部１０８は、当該一部のコンテンツの視聴を制限する。また、所定の条件が成立しない場合には、視聴制限部１０８は、当該コンテンツの視聴を制限しない。
【００５３】
ここで、部屋２の一部の空間は、部屋２のうち所定の条件を満たす空間であり得る。また、当該所定の条件を満たす空間は、制限対象設定部１０６により設定された制限対象の物体を含む空間、および、制限対象の空間を含み得る。
【００５４】
（１−２−５−１．視点の移動の制限）
以下では、視聴制限部１０８による当該コンテンツの視聴の制限例についてより詳細に説明する。例えば、視聴制限部１０８は、制限対象の物体および制限対象の空間に対応する、当該コンテンツの部分における視点の移動を制限する。一例として、視聴制限部１０８は、制限対象の空間の内部に対応する、当該コンテンツの部分への視点の移動を許可しない。また、視聴制限部１０８は、制限対象の空間の外部に対応する、当該コンテンツの部分における視点の移動を許可する。
【００５５】
（１−２−５−２．表示の制限）
また、視聴制限部１０８は、制限対象の物体および制限対象の空間に対応する、当該コンテンツの部分の視認性を低下させるように、当該コンテンツの表示を制御することが可能である。例えば、視聴制限部１０８は、制限対象の物体および制限対象の空間に対応する、当該コンテンツの部分に関して、詳細を閲覧不能にするような画像処理を行う。一例として、視聴制限部１０８は、制限対象の物体および制限対象の空間に対応する、当該コンテンツの部分を例えば黒色などの所定の色で塗りつぶす処理を行ってもよい。例えば、ベッド３０ａが制限対象の物体に設定されている場合には、図５に示したように、視聴制限部１０８は、部屋２の中のベッド３０ａに対応する、当該コンテンツ５０の部分を黒色などの所定の色で塗りつぶす。
【００５６】
または、視聴制限部１０８は、当該コンテンツの部分に対してモザイク処理を行ってもよいし、または、当該部分に対してぼかす処理を行ってもよい。または、視聴制限部１０８は、制限対象の物体（および、制限対象の空間内に位置する各物体）をそれぞれワイヤフレームで表示させてもよいし、または、各物体をそれぞれ、例えば直方体など別のオブジェクトに置き換えてもよい。これらの制限例によれば、部屋２の中の制限対象の物体および制限対象の空間に関して存在することは、（当該コンテンツを視聴する）ユーザ４が確認可能であるが、詳細を閲覧できないように制限することができる。
【００５７】
または、視聴制限部１０８は、当該コンテンツの部分に対して透過度を上げる処理を行ってもよい。例えば、視聴制限部１０８は、当該コンテンツの部分の透過度を１００％にしてもよい（つまり完全に透明にしてもよい）。
【００５８】
また、視聴制限部１０８は、制限対象の物体および制限対象の空間に対応する、当該コンテンツの部分をくりぬく処理を行ってもよい（つまり、当該コンテンツの部分を非表示にしてもよい）。なお、変形例として、視聴制限部１０８は、汚れていると認識された物体に関しては、当該汚れを除去する画像処理を行ってもよい。
【００５９】
（１−２−５−３．動的な制限）
‐関係性
また、視聴制限部１０８は、当該コンテンツにおいて視聴が制限される部分を所定の条件に基いて動的に変更することも可能である。ここで、所定の条件は、コンテンツを視聴するユーザ４と権限者６との関係性（親密度など）を示すデータに関する条件を含み得る。ここで、当該関係性を示すデータは、例えば、所定のＳＮＳ（Ｓｏｃｉａｌ  Ｎｅｔｗｏｒｋｉｎｇ  Ｓｅｒｖｉｃｅ）におけるユーザ４または権限者６の登録情報から得られるデータや、ユーザ４と権限者６との間での契約の状況を示すデータなどである。
【００６０】
例えば、ユーザ４が権限者６の家族であることが特定される場合には、視聴制限部１０８は、コンテンツの視聴を制限しなくてもよい（つまり、制限対象の物体および制限対象の空間に対応する部分であっても、コンテンツの視聴が制限されない）。また、ユーザ４が権限者６の友人であることが特定される場合には、視聴制限部１０８は、制限対象設定部１０６により設定された制限対象の物体のうちの一部の物体、および、制限対象の空間のうちの一部の空間に対応する、当該コンテンツの部分の視聴を制限しなくてもよい。
【００６１】
また、視聴制限部１０８は、ユーザ４と権限者６との関係性を示すデータの変化に基づいて、視聴が制限される部分を動的に変更することも可能である。例えば、ユーザ４と権限者６との間の親密度が上がったことが特定された場合（例えば所定のＳＮＳにおいてユーザ４と権限者６との間で新たに友人登録されたことが特定された場合など）には、視聴制限部１０８は、視聴が制限される物体の数を減らしたり、視聴が制限される空間の範囲を縮小したり、または、部屋２の中で視点を移動可能な範囲を拡大してもよい。また、ユーザ４と権限者６との間でコンテンツの視聴に関する所定の契約が交わされ、かつ、契約済みであることが例えば記憶部１２２などに登録されている場合には、視聴制限部１０８は、当該契約の内容に応じて、視聴が制限される物体の数を減らしたり、視聴が制限される空間の範囲を縮小したり、または、部屋２の中で視点を移動可能な範囲を拡大してもよい。
【００６２】
ここで、所定の契約は、例えば、部屋２の中に存在する機器が故障した際などに作業員（ユーザ４）が遠隔地から当該機器を閲覧したり、遠隔操作するための契約であってもよい。または、所定の契約は、例えば権限者６が購入予定の家具や機器などが部屋２内に配置可能であるか否かを店員（ユーザ４）が遠隔地から確認するための契約であってもよい。
【００６３】
‐課金状態
また、所定の条件は、コンテンツを視聴するユーザ４の課金状態、または、ユーザ４の有料会員の登録状況（例えば有料会員であるか否かや、会員のグレードなど）を示すデータに関する条件を含み得る。ここで、ユーザ４の課金状態を示すデータ、または、ユーザ４の有料会員の登録状況を示すデータは、例えば記憶部１２２に記憶されるなど、サーバ１０により管理されてもよいし、または、外部の装置（図示省略）により管理されてもよい。
【００６４】
例えば、視聴制限部１０８は、ユーザ４が支払っている金額がより大きいことが特定されるほど、コンテンツの視聴時の視点および視界に関する制限を少なくしてもよい。一例として、部屋２が音楽などのイベント会場であり、かつ、ユーザ４が無料会員であることが特定される場合には、視聴制限部１０８は、舞台の正面が縮小表示された映像のみを視聴可能なように（つまり、舞台の遠方の客席にユーザ４が位置するように）当該コンテンツの視聴を制限する。また、ユーザ４が低額の料金を支払っていることが特定される場合には、視聴制限部１０８は、舞台が拡大表示されるが、当該舞台の正面のみから映像を視聴可能なように（つまり、舞台の近くの客席にユーザ４が位置するように）当該コンテンツの視聴を制限する。また、ユーザ４が高額の料金を支払っていることが特定される場合には、視聴制限部１０８は、視点の移動に関して原則制限しなくてもよい。これにより、ユーザ４は、例えば舞台上の人物の側方や背面に視点を移動可能など、舞台上で視点を自由に移動可能となる。
【００６５】
また、舞台上に複数の人物が位置しており、かつ、ユーザ４が低額の料金を支払っていることが特定される場合には、視聴制限部１０８は、当該複数の人物のうちの一部の人物だけを表示させるように、当該コンテンツの視聴を制限してもよい。また、ユーザ４が高額の料金を支払っていることが特定される場合には、視聴制限部１０８は、当該複数の人物全員を表示させてもよい。
【００６６】
‐人物の在否
また、所定の条件は、部屋２の中に人物がいることが検出されることを含み得る。例えば、部屋２の中に人物（権限者６など）が一人以上いる場合には、当該人物は、コンテンツを視聴するユーザ４の行動（視点の移動状況）を確認可能であり得る。そこで、部屋２の中に人物が一人以上いることが検出される場合には、視聴制限部１０８は、部屋２の中で視点を移動可能な範囲を拡大してもよい。また、部屋２の中に人物が一人も存在しないことが検出される場合には、視聴制限部１０８は、部屋２の中で視点を移動可能な範囲を縮小してもよい。
【００６７】
‐権限者６の指定
また、所定の条件は、当該コンテンツが視聴されている間において、権限者６による、制限対象の物体や制限対象の空間を変更する操作が検出されることを含み得る。例えば、制限対象の物体や制限対象の空間を変更する操作が検出される度に、視聴制限部１０８は、視聴が制限される物体や空間を、検出された操作に応じて逐次変更してもよい。
【００６８】
一例として、部屋２の中のある地点が権限者６により指定され、かつ、制限範囲の指定のための音声コマンド（例えば「ここから先は表示不可！」など）が認識された場合には、視聴制限部１０８は、部屋２における、指定された地点から奥の空間に対応する、コンテンツの部分全てに対してぼかす処理を行ってもよいし、または、当該コンテンツの部分へのユーザ４の視点の移動を禁止（制限）してもよい。または、この場合、視聴制限部１０８は、指定された地点から奥の空間内に位置する、特定の物体（例えば人など）以外の全ての物体を非表示にするようにコンテンツの表示を制御してもよい（つまり、特定の物体のみを表示させてもよい）。
【００６９】
‐監視
また、所定の条件は、後述する監視状態判定部１１２により部屋２が監視されていると判定されることを含み得る。例えば、部屋２が監視されていると監視状態判定部１１２により判定された場合には、視聴制限部１０８は、視聴が制限される空間の範囲を縮小してもよい。また、部屋２が監視されていないと監視状態判定部１１２により判定された場合には、視聴制限部１０８は、視聴が制限される空間の範囲を拡大または維持してもよい。
【００７０】
‐特定の物体
また、所定の条件は、特定の物体（例えば、ペットや子どもなど）が部屋２の中に存在すると検出されることを含み得る。例えば、特定の物体が部屋２の中に存在すると検出された場合には、視聴制限部１０８は、部屋２全体が視聴不可能なように、当該コンテンツの視聴を制限してもよい。なお、特定の物体は、権限者６が指定可能であってもよいし、または、システム管理者が予め設定してもよい。
【００７１】
｛１−２−６．表示制御部１１０｝
表示制御部１１０は、視聴制限部１０８による処理後の自由視点のコンテンツを第１の表示部２２に表示させる。また、表示制御部１１０は、（部屋２の中に位置する）第２の表示部２４に対する表示を制御する。
【００７２】
（１−２−６−１．制限対象の物体・制限対象の空間の表示）
なお、例えば、コンテンツ生成部１０４により生成されたコンテンツを視聴中のユーザ４と権限者６とが例えば電話などを用いてリアルタイムにコミュニケーションを行っている場面において、仮に、視聴が制限されている物体を権限者６が話題にすると、ユーザ４と権限者６との間で話が噛合わなくなってしまうことが想定される。そこで、表示制御部１１０は、現在視聴が制限されている、コンテンツの部分を示す情報を（部屋２の中に位置する）第２の表示部２４に表示させることが望ましい。例えば、表示制御部１１０は、当該コンテンツにおいて視聴が制限されている部分に対応する、部屋２の中の物体および空間の周囲に例えば所定の色の線を第２の表示部２４に表示させてもよいし、または、当該物体および空間の位置（または近傍）に所定のアイコンを第２の表示部２４に表示させてもよい。
【００７３】
図６は、部屋２の中に配置されているベッド３０ａが制限対象の物体として設定されている際における、第２の表示部２４による表示例を示した説明図である。図６に示したように、例えば、表示制御部１１０は、ベッド３０ａの周囲に対応する表示位置に所定の色の線５２０を第２の表示部２４に表示させる。
【００７４】
これらの表示例によれば、当該コンテンツを視聴するユーザ４に関して現在視聴が制限されている部分を、部屋２の中にいる権限者６はリアルタイムに知ることができる。従って、権限者６は、当該物体を話題にしないように判断することができるので、権限者６とユーザ４との間でのコミュニケーションの不全を防止することができる。
【００７５】
‐変形例
なお、部屋２の外部に位置する複数のユーザが当該コンテンツを同時に視聴している場合には、表示制御部１１０は、当該複数のユーザの各々に関して、視聴が制限されている部分を示す情報を当該ユーザと関連付けて第２の表示部２４に表示させることも可能である。例えば、表示制御部１１０は、ユーザごとに、当該ユーザに関して視聴が制限されている部分に対応する部屋２の中の物体および空間の周囲に、当該ユーザに予め関連付けられている色の線を第２の表示部２４に表示させてもよい。または、表示制御部１１０は、ユーザごとに、当該ユーザに関して視聴が制限されている部分に対応する部屋２の中の物体および空間の位置（または近傍）に、当該ユーザに関連付けられている種類のアイコンを表示させてもよいし、または、当該ユーザの識別情報を表示させてもよい。
【００７６】
この表示例によれば、ユーザ４ａおよびユーザ４ｂが同じコンテンツを視聴している場面において、部屋２の中のある物体をユーザ４ａは視聴可能であるが、ユーザ４ｂは視聴が制限されていることを権限者６に知らせることができる。
【００７７】
（１−２−６−２．視聴するユーザの表示）
また、表示制御部１１０は、例えば図７のＢに示したように、当該コンテンツを視聴しているユーザの映像３２を、（部屋２の中に位置する）第２の表示部２４に表示させることも可能である。なお、この際、表示制御部１１０は、例えばユーザ４が装着する第１の表示部２２などにより検出される、当該コンテンツにおいてユーザ４が見ている方向に応じて、ユーザの映像３２の向きを調整してもよい。
【００７８】
なお、変形例として、視聴制限部１０８は、ユーザの映像３２のうちの目の部分を権限者６が手で隠す動作の検出に基づいて、（該当のユーザ４による）コンテンツの視聴を制限してもよい。例えば、当該動作が検出された場合には、視聴制限部１０８は、コンテンツの視聴自体を禁止（全て非表示にするなど）してもよいし、または、該当のユーザの視線方向に位置する物体および空間に対応する、当該コンテンツの部分を非表示にしてもよい。
【００７９】
｛１−２−７．監視状態判定部１１２｝
監視状態判定部１１２は、権限者６により部屋２が監視されている否かを所定の判定基準に基いて判定する。例えば、部屋２の中または部屋２の近傍に権限者６が位置することが検出される場合には、監視状態判定部１１２は、部屋２が監視されていると判定する。なお、権限者６が携帯する端末内のＧＰＳ（Ｇｌｏｂａｌ  Ｐｏｓｉｔｉｏｎｉｎｇ  Ｓｙｓｔｅｍ）受信機の測定結果やセンサ部２０による撮影画像などをサーバ１０が受信することにより、監視状態判定部１１２は、権限者６が部屋２の中（または部屋２の近傍）に位置するか否かを判定することが可能である。
【００８０】
また、一以上のセンサ部２０、または、部屋２の中に配置された他のカメラ（図示せず）により撮影された映像を、権限者６が使用する所定の端末が表示している場合には、監視状態判定部１１２は、当該所定の端末が権限者６の視界内または視界の近傍に位置するか否かに基づいて、部屋２が監視されているか否かを判定する。例えば、当該所定の端末が権限者６の視界内または視界の近傍に位置する場合には、監視状態判定部１１２は、部屋２が監視されていると判定する。また、当該所定の端末が権限者６の視界外に位置する場合には、監視状態判定部１１２は、部屋２が監視されていないと判定する。なお、当該所定の端末に設置されているインカメラにより撮影された映像をサーバ１０が受信することにより、監視状態判定部１１２は、当該所定の端末が権限者６の視界内または視界の近傍に位置するか否かを判定することが可能である。
【００８１】
また、監視状態判定部１１２は、一以上のセンサ部２０、または、部屋２の中に配置された他のカメラに対する当該所定の端末のアクセス状況に基づいて、部屋２が監視されている否かを判定することも可能である。例えば、これらのカメラのうちの少なくともいずれかに対して当該所定の端末がアクセスしていることが検出された場合には、監視状態判定部１１２は、部屋２が監視されていると判定する。
【００８２】
｛１−２−８．通信部１２０｝
通信部１２０は、他の装置との間で情報の送受信を行う。例えば、通信部１２０は、表示制御部１１０の制御に従って、視聴制限部１０８による処理後の自由視点のコンテンツを第１の表示部２２へ送信する。また、通信部１２０は、複数のセンサ部２０の各々によりセンシングされたセンシングデータを当該複数のセンサ部２０から受信する。
【００８３】
｛１−２−９．記憶部１２２｝
記憶部１２２は、各種のデータや各種のソフトウェアを記憶する。例えば、記憶部１２２は、制限対象設定部１０６により設定された、制限対象の物体および制限対象の空間の情報を記憶する。
【００８４】
＜１−３．処理の流れ＞
以上、第１の実施形態による構成について説明した。次に、第１の実施形態による処理の流れの一例について、「１−３−１．制限対象の物体・制限対象の空間の設定時の処理の流れ」〜「１−３−２．コンテンツの表示時の処理の流れ」において説明する。なお、「制限対象の物体・制限対象の空間の設定時の処理の流れ」と「コンテンツの表示時の処理の流れ」とは並行して実行され得る。
【００８５】
｛１−３−１．制限対象の物体・制限対象の空間の設定時の処理の流れ｝
まず、「制限対象の物体・制限対象の空間の設定時の処理の流れ」について、図８を参照して説明する。図８に示したように、まず、権限者６は、汎用ＰＣなどの端末を操作して、設定ツールを起動する。そして、権限者６が、設定ツールにおいて、制限対象の空間の設定を選択した場合には（Ｓ１０１：Ｙｅｓ）、次に、権限者６は、制限対象に設定することを希望する、部屋２の中の空間を指定する（Ｓ１０３）。
【００８６】
その後、当該端末は、Ｓ１０３で指定された空間の情報をサーバ１０へ送信する。次に、サーバ１０の制限対象設定部１０６は、受信された情報が示す空間を制限対象の空間に設定する。そして、制限対象設定部１０６は、設定した情報を記憶部１２２に追加登録する（Ｓ１０５）。その後、Ｓ１１３の処理が実行される。
【００８７】
一方、Ｓ１０１において、権限者６が、制限対象の物体の設定を選択した場合には（Ｓ１０１：Ｎｏ、Ｓ１０７：Ｙｅｓ）、次に、権限者６は、制限対象に設定することを希望する物体を指定する（Ｓ１０９）。
【００８８】
そして、当該端末は、Ｓ１０９で指定された物体の情報をサーバ１０へ送信する。次に、サーバ１０の制限対象設定部１０６は、受信された情報が示す物体を制限対象の物体に設定する。そして、制限対象設定部１０６は、設定した情報を記憶部１２２に追加登録する（Ｓ１１１）。
【００８９】
その後、設定ツールの終了が入力された場合には（Ｓ１１３：Ｙｅｓ）、本処理は終了する。一方、設定ツールの終了が入力されていない場合には（Ｓ１１３：Ｎｏ）、再びＳ１０１以降の処理が実行される。
【００９０】
また、Ｓ１０７において、権限者６が、制限対象の物体の設定を選択しなかった場合には（Ｓ１０７：Ｎｏ）、再びＳ１０１の処理が実行される。
【００９１】
｛１−３−２．コンテンツの表示時の処理の流れ｝
次に、「コンテンツの表示時の処理の流れ」について、図９を参照して説明する。図９に示したように、まず、サーバ１０は、複数のセンサ部２０の各々によりセンシングされた部屋２のセンシングデータを複数のセンサ部２０から受信する（Ｓ２０１）。
【００９２】
続いて、コンテンツ生成部１０４は、受信されたセンシングデータに基づいて、部屋２に関する自由視点のコンテンツを生成する（Ｓ２０３）。
【００９３】
その後、視聴制限部１０８は、制限対象の空間が設定されているか否かを確認する（Ｓ２０５）。制限対象の空間が全く設定されていない場合には（Ｓ２０５：Ｎｏ）、視聴制限部１０８は、後述するＳ２０９の処理を行う。
【００９４】
一方、制限対象の空間が設定されている場合には（Ｓ２０５：Ｙｅｓ）、視聴制限部１０８は、設定済みの全ての制限対象の空間の各々に対応する、Ｓ２０３で生成されたコンテンツの部分を例えば黒色などの所定の色で塗りつぶす（Ｓ２０７）。
【００９５】
その後、視聴制限部１０８は、制限対象の物体が設定されているか否かを確認する（Ｓ２０９）。制限対象の物体が全く設定されていない場合には（Ｓ２０９：Ｎｏ）、視聴制限部１０８は、後述するＳ２１３の処理を行う。
【００９６】
一方、制限対象の物体が設定されている場合には（Ｓ２０９：Ｙｅｓ）、視聴制限部１０８は、設定済みの全ての制限対象の物体の各々に対応する、Ｓ２０７で処理後のコンテンツもしくはＳ２０３で生成されたコンテンツの部分を例えば黒色などの所定の色で塗りつぶす（Ｓ２１１）。
【００９７】
その後、通信部１２０は、表示制御部１１０の制御に従って、該当のコンテンツを第１の表示部２２へ送信する。そして、第１の表示部２２は、受信したコンテンツを表示する（Ｓ２１３）。
【００９８】
＜１−４．効果＞
以上説明したように、第１の実施形態によれば、サーバ１０は、部屋２のセンシング結果に基づいて自由視点のコンテンツを生成し、そして、当該自由視点のコンテンツのうち、部屋２の一部の空間に対応する一部のコンテンツの視聴を所定の条件に基いて制限する。これにより、当該コンテンツの視聴を適切に制限することができる。
【００９９】
例えば、サーバ１０は、当該自由視点のコンテンツのうち、設定された制限対象の物体および制限対象の空間に対応する、一部のコンテンツにおける視点の移動を制限したり、または、当該一部のコンテンツの視認性を低下させるように当該コンテンツの表示を制御する。このため、例えば、部屋２の中に位置する物体や空間のうち、外部のユーザ４に閲覧されることを望まない物体や空間を制限対象の物体および制限対象の空間として権限者６は予め指定しておくことにより、当該コンテンツにおける該当の部分の視聴を制限することができる。従って、外部のユーザ４による当該自由視点のコンテンツの視聴を一部可能としつつ、権限者６のプライバシーを適切に保護することができる。
【０１００】
＜＜２．第２の実施形態＞＞
＜２−１．情報処理システムの構成＞
以上、第１の実施形態について説明した。次に、第２の実施形態について説明する。図１０は、第２の実施形態による情報処理システムの構成例を示した説明図である。図１０に示すように、第２の実施形態では、複数の部屋２の中にそれぞれ複数のセンサ部２０が配置されており、かつ、当該複数の部屋２の各々の中にそれぞれユーザ６が位置する場面を想定する。ここで、部屋２ａ内のユーザ６ａは、例えば部屋２ａの管理権限を有するユーザであり、また、部屋２ｂ内のユーザ６ｂは、部屋２ｂの管理権限を有するユーザであり得る。
【０１０１】
第２の実施形態によるサーバ１０は、図１１に示したように、部屋２ａ内に配置されている複数のセンサ部２０により取得された部屋２ａの略全体の三次元情報６２ａと、部屋２ｂ内に配置されている複数のセンサ部２０により取得された部屋２ｂの略全体の三次元情報６２ｂとを合成することにより、仮想的な共有空間６０を生成することが可能である。さらに、サーバ１０は、生成した共有空間６０に基いて、共有空間６０に関する自由視点のコンテンツを生成し、そして、図１２に示したように、当該コンテンツをユーザ６ａが閲覧する第１の表示部２２ａ、および、ユーザ６ｂが閲覧する第１の表示部２２ｂへそれぞれ伝送することが可能である。これにより、複数の部屋２の各々に位置するユーザ６は、伝送されたコンテンツを視聴することにより、あたかも共有空間６０の内部に位置するような体験をすることができる。
【０１０２】
後述するように、第２の実施形態によるサーバ１０は、生成された共有空間に関する自由視点のコンテンツの視聴を、当該コンテンツを視聴するユーザ６ごとに、当該ユーザ６が位置する部屋２に応じて制限することが可能である。例えば、サーバ１０は、共有空間６０内に配置された部屋２ｂ内の一部の物体に関して、部屋２ａ内のユーザ６ａによる視聴を制限し、かつ、共有空間６０内に配置された部屋２ａ内の一部の物体に関して、部屋２ｂ内のユーザ６ｂによる視聴を制限することができる。
【０１０３】
＜２−２．構成＞
次に、第２の実施形態による構成について詳細に説明する。第２の実施形態によるサーバ１０に含まれる構成要素は、第１の実施形態と同様である。以下では、第１の実施形態とは異なる機能を有する構成要素についてのみ説明を行う。
【０１０４】
{２−２−１．コンテンツ生成部１０４｝
第２の実施形態によるコンテンツ生成部１０４は、部屋２ａ内に配置されている複数のセンサ部２０により取得された部屋２ａの略全体の三次元情報と、部屋２ｂに配置されている複数のセンサ部２０により取得された部屋２ｂの略全体の三次元情報とを合成することにより、仮想的な共有空間を生成する。
【０１０５】
また、コンテンツ生成部１０４は、生成した共有空間に基いて、当該共有空間に関する自由視点のコンテンツを生成する。なお、コンテンツ生成部１０４は、ユーザ６ごとに、当該ユーザ６が閲覧する第１の表示部２２が非透過型の眼鏡型デバイスであるか否かに基いて、当該共有空間に関する自由視点のコンテンツを生成してもよい。例えば、部屋２ａ内のユーザ６ａが閲覧する第１の表示部２２ａが非透過型の眼鏡型デバイスではない場合（例えば３Ｄプロジェクタや透過型の眼鏡型デバイスなどである場合）には、コンテンツ生成部１０４は、生成した共有空間に基づいて、他の部屋２ｂ内に位置する物体の映像５２ｂのみを含む、自由視点のコンテンツを当該ユーザ６ａのために生成してもよい。
【０１０６】
{２−２−２．視聴制限部１０８｝
第２の実施形態による視聴制限部１０８は、コンテンツ生成部１０４により生成されたコンテンツの視聴を、当該コンテンツを視聴するユーザ６が位置する部屋２に応じて制限する。例えば、部屋２ｂ内の物体のうち制限対象の物体として設定されている物体に対応する、当該コンテンツの部分に関しては、視聴制限部１０８は、部屋２ａに位置するユーザ６ａによる視聴を制限する。なお、具体的な制限内容に関しては、第１の実施形態と概略同様である。また、個々の部屋２における制限対象の物体（および制限対象の空間）の設定方法に関しても第１の実施形態と概略同様である。
【０１０７】
{２−２−３．表示制御部１１０｝
第２の実施形態による表示制御部１１０は、ユーザ６ごとに、当該ユーザ６に対して視聴が制限された自由視点のコンテンツを、当該ユーザ６が閲覧する第１の表示部２２に表示させる。
【０１０８】
＜２−３．効果＞
以上説明したように、第２の実施形態によれば、サーバ１０は、部屋２ａのセンシング結果と、部屋２ｂのセンシング結果とに基づいて共有空間を生成し、そして、当該共有空間に関する自由視点のコンテンツの視聴を、当該コンテンツを視聴するユーザ６ごとに、当該ユーザ６が位置する部屋２に応じて制限する。例えば、部屋２ａ内に位置するユーザ６ａは、部屋２ａ内に位置する物体のうち、他の部屋２ｂ内に位置するユーザ６ｂに閲覧されることを望まない物体を制限対象の物体として予め指定しておくことにより、当該物体に対応する、当該自由視点のコンテンツの部分の、ユーザ６ｂによる視聴を制限することができる。
【０１０９】
また、第２の実施形態によれば、個々のユーザは別々の部屋にいながら、あたかも他のユーザと同じ部屋（共有空間）の中に位置するような体験をすることができる。例えば、個々のユーザは、自己のプライバシーが適切に保護されながら、他の部屋２内のユーザと共有空間上で一緒に活動を行うことができ、楽しむことができる。一例として、個々のユーザは、当該ユーザの部屋の中に実際に存在する物体を用いて、他の部屋２内のユーザとコミュニケーションを行うことができる。
【０１１０】
＜＜３．ハードウェア構成＞＞
次に、各実施形態に共通するサーバ１０のハードウェア構成について、図１３を参照して説明する。図１３に示すように、サーバ１０は、ＣＰＵ１５０、ＲＯＭ（Ｒｅａｄ  Ｏｎｌｙ  Ｍｅｍｏｒｙ）１５２、ＲＡＭ１５４、バス１５６、インターフェース１５８、ストレージ装置１６０、および通信装置１６２を備える。
【０１１１】
ＣＰＵ１５０は、演算処理装置および制御装置として機能し、各種プログラムに従ってサーバ１０内の動作全般を制御する。また、ＣＰＵ１５０は、サーバ１０において制御部１００の機能を実現する。なお、ＣＰＵ１５０は、マイクロプロセッサなどのプロセッサにより構成される。
【０１１２】
ＲＯＭ１５２は、ＣＰＵ１５０が使用するプログラムや演算パラメータなどの制御用データなどを記憶する。
【０１１３】
ＲＡＭ１５４は、例えば、ＣＰＵ１５０により実行されるプログラムなどを一時的に記憶する。
【０１１４】
バス１５６は、ＣＰＵバスなどから構成される。このバス１５６は、ＣＰＵ１５０、ＲＯＭ１５２、およびＲＡＭ１５４を相互に接続する。
【０１１５】
インターフェース１５８は、ストレージ装置１６０、および通信装置１６２を、バス１５６と接続する。
【０１１６】
ストレージ装置１６０は、記憶部１２２として機能する、データ格納用の装置である。ストレージ装置１６０は、例えば、記憶媒体、記憶媒体にデータを記録する記録装置、記憶媒体からデータを読み出す読出し装置、または記憶媒体に記録されたデータを削除する削除装置などを含む。
【０１１７】
通信装置１６２は、例えば通信網２６などに接続するための通信デバイス等で構成された通信インターフェースである。また、通信装置１６２は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。この通信装置１６２は、通信部１２０として機能する。
【０１１８】
＜＜４．変形例＞＞
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１９】
例えば、上述した各実施形態による情報処理システムの構成は、図１または図１０に示した例に限定されない。例えば、図１および図１０では、サーバ１０が一台だけ図示されているが、かかる例に限定されず、複数台のコンピュータが協同して動作することにより、各実施形態によるサーバ１０の機能が実現されてもよい。
【０１２０】
また、上述した各実施形態では、本開示における情報処理装置がサーバ１０である例について説明したが、かかる例に限定されない。例えば、当該情報処理装置は、汎用ＰＣ、タブレット型端末、ゲーム機、スマートフォンなどの携帯電話、携帯型音楽プレーヤ、ロボット、プロジェクタ、または、例えばＨＭＤやＡＲグラスなどのウェアラブルデバイスであってもよい。
【０１２１】
また、上述した各実施形態の処理の流れにおける各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。また、記載されたステップのうちの一部が省略されたり、または、別のステップがさらに追加されてもよい。
【０１２２】
また、上述した各実施形態によれば、ＣＰＵ１５０、ＲＯＭ１５２、およびＲＡＭ１５４などのハードウェアを、上述した各実施形態によるサーバ１０の各構成と同等の機能を発揮させるためのコンピュータプログラムも提供可能である。また、当該コンピュータプログラムが記録された記録媒体も提供される。
【０１２３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１２４】
なお、以下のような構成も本開示の技術的範囲に属する。
（１）
実空間のセンシング結果に基いて生成される自由視点のコンテンツのうち、前記実空間の一部の空間に対応する一部のコンテンツの視聴を所定の条件に基いて制限する視聴制限部、
を備える、情報処理装置。
（２）
前記視聴制限部は、前記一部のコンテンツにおける視点の移動を制限する、前記（１）に記載の情報処理装置。
（３）
前記視聴制限部は、前記一部のコンテンツの視認性を低下させるように前記一部のコンテンツの表示を制御する、前記（１）に記載の情報処理装置。
（４）
前記視聴制限部は、前記一部のコンテンツの表示色を所定の色に変更する処理、前記一部のコンテンツの透過度を上げる処理、または、前記一部のコンテンツをぼかす処理を行う、前記（３）に記載の情報処理装置。
（５）
前記実空間の一部の空間は、前記実空間のうち前記所定の条件を満たす空間である、前記（１）〜（４）のいずれか一項に記載の情報処理装置。
（６）
前記所定の条件を満たす空間は、制限対象の物体を含む空間、および／または、制限対象の空間である、前記（５）に記載の情報処理装置。
（７）
前記視聴制限部は、前記一部のコンテンツの内部への視点の移動を許可しない、前記（６）に記載の情報処理装置。
（８）
前記制限対象の物体および／または前記制限対象の空間は、前記実空間のレイアウトを示す操作画面に対するユーザの入力に基づいて設定される、前記（６）または（７）に記載の情報処理装置。
（９）
前記制限対象の物体および／または前記制限対象の空間は、前記実空間におけるユーザのポインティング動作の検出に基づいて設定される、前記（６）〜（８）のいずれか一項に記載の情報処理装置。
（１０）
前記制限対象の空間は、前記実空間においてユーザが移動した領域の検出結果に基づいて設定される、前記（６）〜（９）のいずれか一項に記載の情報処理装置。
（１１）
前記制限対象の空間は、前記実空間内に配置された複数の所定の物体の位置の検出結果に基づいて設定される、前記（６）〜（１０）のいずれか一項に記載の情報処理装置。
（１２）
前記所定の条件を満たす空間は、所定の属性に合致する物体を含む空間、および／または、所定の属性に合致する空間である、前記（５）に記載の情報処理装置。
（１３）
前記所定の属性に合致する空間は、ユーザの平均滞在時間が所定の閾値よりも小さい空間、および／または、ユーザの訪問頻度が所定の閾値よりも小さい空間を含む、前記（１２）に記載の情報処理装置。
（１４）
前記所定の条件が成立する場合には、前記視聴制限部は、前記一部のコンテンツの視聴を制限する、前記（１）〜（４）のいずれか一項に記載の情報処理装置。
（１５）
前記所定の条件は、前記実空間に関連する第１のユーザと、前記コンテンツを視聴する第２のユーザとの関係性に関する条件を含む、前記（１４）に記載の情報処理装置。
（１６）
前記所定の条件は、前記コンテンツを視聴するユーザの課金状態または有料会員の登録状況に関する条件を含む、前記（１４）または（１５）に記載の情報処理装置。
（１７）
前記コンテンツは、前記実空間の外部に位置するユーザにより視聴され、
前記情報処理装置は、前記実空間の一部の空間内の物体および／または前記実空間の一部の空間を示す情報を、前記実空間内に位置する表示部に表示させる表示制御部をさらに備える、前記（１）〜（１６）のいずれか一項に記載の情報処理装置。
（１８）
前記情報処理装置は、前記センシング結果を取得する取得部と、
前記センシング結果に基いて、前記自由視点のコンテンツを生成するコンテンツ生成部と、をさらに備える、前記（１）〜（１７）のいずれか一項に記載の情報処理装置。
（１９）
実空間のセンシング結果に基いて生成される自由視点のコンテンツのうち、前記実空間の一部の空間に対応する一部のコンテンツの視聴を所定の条件に基いてプロセッサが制限すること、
を含む、情報処理方法。
（２０）
コンピュータを、
実空間のセンシング結果に基いて生成される自由視点のコンテンツのうち、前記実空間の一部の空間に対応する一部のコンテンツの視聴を所定の条件に基いて制限する視聴制限部、
として機能させるための、プログラム。
【符号の説明】
【０１２５】
１０  サーバ
２０  センサ部
２２  第１の表示部
２４  第２の表示部
２６  通信網
１００  制御部
１０２  検出結果取得部
１０４  コンテンツ生成部
１０６  制限対象設定部
１０８  視聴制限部
１１０  表示制御部
１１２  監視状態判定部
１２０  通信部
１２２  記憶部
【図１】
2018085571.tif 000003
【図２】
2018085571.tif 000004
【図３】
2018085571.tif 000005
【図４】
2018085571.tif 000006
【図５】
2018085571.tif 000007
【図６】
2018085571.tif 000008
【図７】
2018085571.tif 000009
【図８】
2018085571.tif 000010
【図９】
2018085571.tif 000011
【図１０】
2018085571.tif 000012
【図１１】
2018085571.tif 000013
【図１２】
2018085571.tif 000014
【図１３】
2018085571.tif 000015